(57)【要約】【課題】操作片の構造が簡単で、また、容器本体を適宜変更するだけで、押圧しうる操作片の範囲を適宜変更することのできる化粧料容器を提供する。【解決手段】容器本体１と蓋体と幅広のフックピース３とを備え、容器本体１の前端部に、フックピース３を配設する幅広の前側凹部１２を形成し、この前側凹部１２の奥壁面１２ａに、フックピース３の後面に当接する左右一対の当接面１２ｂを形成し、これら両当接面１２ｂに挟まれる上記奥壁面１２ａの部分に幅広の奥側凹部１３を設け、フックピース３に、蓋体の係合爪と容器本体１の係合用突条１４との係合を解除しうる係合板部１７を形成し、上記奥側凹部１３に対応する上記フックピース３の部分を後方に撓ませることにより、フックピース３の係合板部１７で上記係合を解除するように構成している。【選択図】図１９
2004261504.tif 000002
【特許請求の範囲】
【請求項１】
容器本体と、この容器本体の後端部にヒンジ連結される蓋体と、可撓性を有する幅広の操作片とを備え、上記蓋体の前端部に係合部を設け、上記容器本体の前端部に、上記操作片を配設する幅広の切り欠き凹部を形成し、この切り欠き凹部の奥壁面に、上記操作片の後面に当接する左右一対の操作片支受面を形成するとともに、これら両操作片支受面に挟まれる上記奥壁面の部分を後方に切り欠き形成して幅広の奥側切り欠き凹部を設け、この奥側切り欠き凹部の奥壁面に、上記蓋体の係合部に着脱自在に係合する被係合部を設け、この被係合部に対向する上記操作片の部分に、上記蓋体の係合部と容器本体の被係合部との係合を解除しうる解除部を形成し、上記奥側切り欠き凹部に対応する上記操作片の部分を後方に撓ませることにより、上記操作片の解除部で上記係合を解除するように構成したことを特徴とする化粧料容器。
【請求項２】
上記奥側切り欠き凹部の奥壁面の、上記被係合部の下側部分に、前方に向かって下る傾斜面を形成し、この傾斜面に対応する上記操作片の部分から弾性連結部を介して押し上げ部を後方に延設することにより、操作片の解除部を形成し、上記操作片の押し上げ部を奥側切り欠き凹部の傾斜面に摺動自在に配設し、上記操作片を後方に撓ませることにより、上記操作片の押し上げ部を奥側切り欠き凹部の傾斜面に沿わせて上方に摺動させ、上記蓋体の係合部を下から押し上げて上記係合を解除するように構成した請求項１記載の化粧料容器。
【請求項３】
上記操作片の横幅が容器本体の横幅の７５〜９５％の範囲に設定されている請求項１または２記載の化粧料容器。
【請求項４】
上記奥側切り欠き凹部の横幅が操作片の横幅の４０〜９０％の範囲に設定され、好適には、５５〜６５％の範囲に設定されている請求項１〜３のいずれか一項に記載の化粧料容器。
【発明の詳細な説明】
【０００１】
【発明の属する技術分野】
本発明は、コンパクト等の化粧料容器に関するものである。
【０００２】
【従来の技術】
従来から、コンパクト等の化粧料容器として、図２１に示すように、容器本体３１と、この容器本体３１を蓋する蓋体３２と、容器本体３１の前端部に回動自在に取り付けたフックピース３３とを備え、開蓋時にフックピース３３を押圧して回動させ、この回動により、容器本体３１の前端部に設けた凸部３１ａと蓋体３２の前端部に設けた凸部３２ａとの係合を解除するようにしたものが多く出回っている。このような化粧料容器では、外観等を考慮して、フックピース３３は小さく形成されている。一般には、若い女性等が指先で簡単に押圧することができるよう、フックピース３３の横幅は１０〜１５ｍｍ程度に設定されている。
【０００３】
ところが、上記の化粧料容器のように、フックピース３３が小さい場合には、確実にこのフックピース３３を押圧して開蓋できないことがある。特に、高齢の女性等では、よくある。そこで、高齢の女性等でも、確実にフックピースを押圧して開蓋できるように、フックピースを幅広に形成した化粧料容器が提案されている（例えば、特許文献１参照）。この化粧料容器は、図２２に示すように、容器本体３５と蓋体３６と幅広のフックピース３７とからなり、上記容器本体３５の前端部に、フックピース３７を収容しうる幅広の前側凹部３８（図２５参照）を形成している。また、上記フックピース３７は、図２３に示すように、操作部４０と、この操作部４０の前板４０ａから後方に延びる係合板部４１と、上記操作部４０の底板４０ｂ（図２４参照）から後方に延びるばね部４２とで構成されている。そして、開蓋する場合には、図２４および図２５に示す閉蓋状態から、フックピース３７を指先で押圧して奥側にスライドさせることを行う。これにより、上記係合板部４１の先端部分４１ａが容器本体３５の前側凹部３８に設けたガイド面３８ａに沿って上方に摺動し、蓋体３６の係合爪３６ａ（図２４参照）を押し上げ、上記容器本体３５の係合用突条３５ａと蓋体３６の係合爪３６ａとの係合を外すようにしている。このとき、フックピース３７の横幅が幅広であるため、高齢の女性等でも、小さな力で確実に押圧することができる。
【０００４】
【特許文献１】
特開２００２−５８５２５号公報（段落番号〔０００９〕〜〔００１７〕）
【０００５】
【発明が解決しようとする課題】
しかしながら、この化粧料容器では、フックピース３７が操作部４０と係合板部４１とばね部４２とで構成されており、その構造が複雑である。しかも、押圧しうる範囲を適宜変更するために、フックピース３７の取り付け位置や横幅を適宜変更する場合には、この変更に合わせて、容器本体３５の前側凹部３８の形成位置や横幅をも変更しなければならず、容器本体３５とフックピース３７との双方を変更する必要がある。
【０００６】
本発明は、このような事情に鑑みなされたもので、操作片の構造が簡単で、また、容器本体を適宜変更するだけで、操作片を変更することなく、押圧しうる操作片の範囲を適宜変更することのできる化粧料容器の提供をその目的とする。
【０００７】
【課題を解決するための手段】
上記の目的を達成するため、本発明の化粧料容器は、容器本体と、この容器本体の後端部にヒンジ連結される蓋体と、可撓性を有する幅広の操作片とを備え、上記蓋体の前端部に係合部を設け、上記容器本体の前端部に、上記操作片を配設する幅広の切り欠き凹部を形成し、この切り欠き凹部の奥壁面に、上記操作片の後面に当接する左右一対の操作片支受面を形成するとともに、これら両操作片支受面に挟まれる上記奥壁面の部分を後方に切り欠き形成して幅広の奥側切り欠き凹部を設け、この奥側切り欠き凹部の奥壁面に、上記蓋体の係合部に着脱自在に係合する被係合部を設け、この被係合部に対向する上記操作片の部分に、上記蓋体の係合部と容器本体の被係合部との係合を解除しうる解除部を形成し、上記奥側切り欠き凹部に対応する上記操作片の部分を後方に撓ませることにより、上記操作片の解除部で上記係合を解除するように構成したという構成をとる。
【０００８】
すなわち、本発明の化粧料容器は、容器本体と、蓋体と、可撓性を有する幅広の操作片とを備えており、上記容器本体の前端部に、上記操作片を配設する幅広の切り欠き凹部を形成し、この切り欠き凹部の奥壁面に、上記操作片の後面に当接する左右一対の操作片支受面を形成するとともに、これら両操作片支受面に挟まれる上記奥壁面の部分を後方に切り欠き形成して幅広の奥側切り欠き凹部を設けている。そして、上記奥側切り欠き凹部に対応する上記操作片の部分を後方に撓ませることにより、上記操作片に形成した解除部で、蓋体の係合部と容器本体の奥側切り欠き凹部の被係合部との係合を解除するように構成している。このように、本発明では、上記容器本体の前端部に形成した幅広の切り欠き凹部に幅広の奥側切り欠き凹部を設け、上記切り欠き凹部に、可撓性を有する幅広の操作片を配設し、上記奥側切り欠き凹部に対応する上記操作片の部分を撓ませることにより、蓋体の係合部と上記奥側切り欠き凹部の被係合部との係合を解除できるようにしているため、操作片の幅広い範囲を押圧することで、高齢の女性等でも、小さな力で確実に開蓋することができる。しかも、上記したように、上記奥側切り欠き凹部に対応する上記操作片の部分を撓ませるようにしているため、押圧しうる操作片の範囲を適宜変更する場合には、この変更に合わせて、上記奥側切り欠き凹部の形成位置や横幅を変更するだけでよい。したがって、容器本体だけを変更すればよく、操作片を変更する必要がない。
【０００９】
本発明において、上記奥側切り欠き凹部の奥壁面の、上記被係合部の下側部分に、前方に向かって下る傾斜面を形成し、この傾斜面に対応する上記操作片の部分から弾性連結部を介して押し上げ部を後方に延設することにより、操作片の解除部を形成し、上記操作片の押し上げ部を奥側切り欠き凹部の傾斜面に摺動自在に配設し、上記操作片を後方に撓ませることにより、上記操作片の押し上げ部を奥側切り欠き凹部の傾斜面に沿わせて上方に摺動させ、上記蓋体の係合部を下から押し上げて上記係合を解除するように構成した場合には、上記操作片の押し上げ部で蓋体の係合部を下からはね上げることができ、小さな力で上記係合を解除することができる。
【００１０】
本発明において、上記操作片の横幅が容器本体の横幅の７５〜９５％の範囲に設定されている場合には、上記操作片の横幅を非常に幅広に形成することができる。
【００１１】
本発明において、上記奥側切り欠き凹部の横幅が操作片の横幅の４０〜９０％の範囲に設定され、好適には、５５〜６５％の範囲に設定されている場合には、操作片を確実に押圧することができるだけでなく、不用意に開蓋することがなくなる。すなわち、多数回の実験を行った結果から判明したことであるが、操作片の横幅が容器本体の横幅の４０％を下回ると、高齢の女性等では、１回の操作で操作片を押圧することができないケースが増え、９０％を上回ると、操作片に周囲の他物が当たりやすく、不用意に開蓋することが多くなる。
【００１２】
【発明の実施の形態】
つぎに、本発明の実施の形態を図面にもとづいて詳しく説明する。
【００１３】
図１および図２は本発明の化粧料容器の一実施の形態を示している。これらの図において、１は容器本体であり、２は上記容器本体１の上面を蓋する蓋体であり、３は開蓋時に押圧操作されるフックピース（操作片）である。上記容器本体１（図３参照）には、図４に示すように、その上面の左右に、化粧料４ａが充填された化粧皿４を収容する化粧皿収容凹部１０ａ、およびパフ５を収容するパフ収容凹部１０ｂが形成されている。また、上記容器本体１には、その後端部に後側凹部１１が形成されており、この後側凹部１１の左右両側に左右一対のヒンジ軸挿通孔１１ａが相対峙する状態で貫通状に穿設されている。図３において、６は上記容器本体１の両ヒンジ軸挿通孔１１ａおよび上記蓋体２のヒンジ軸挿通孔２ｃ（図１６参照）に挿通されるヒンジ軸であり、容器本体１と蓋体２とをヒンジ連結している。
【００１４】
また、上記容器本体１には、図５〜図７に示すように、その前端部に、前面および上面が開放された前側凹部（切り欠き凹部）１２が形成されており、この前側凹部１２にフックピース３が配設されている（図１８参照）。また、上記前側凹部１２の奥壁面１２ａの左右両側部分が、上記フックピース３の上下両側板１８，１９の後面に当接する当接面（操作片支受面）１２ｂに形成されているとともに、これら両当接面１２ｂで挟まれる部分から、前面（すなわち、上記前側凹部１２の奥壁面１２ａ）および上面が開放された奥側凹部（奥側切り欠き凹部）１３が後方に延びている（すなわち、上記両当接面１２ｂで挟まれる奥壁面１２ａの部分が凹入形成されて奥側凹部１３が設けられている）。また、上記前側凹部１２には、その左右両側面に、フックピース３の左右一対の係合凸部２１ａ，２２ａ（図８参照）に係合する左右一対の溝部１２ｃが相対峙する状態で形成されている。
【００１５】
また、上記奥側凹部１３は、奥側に向かって内向き傾斜状に傾斜する左右一対のテーパー面１３ａと、これら両テーパー面１３ａに挟まれる奥端面１３ｂとを備えており、この奥端面１３ｂの上部に、閉蓋時に蓋体２の係合爪（係合部）２ａに着脱自在に係合する係合用突条（被係合部）１４が突設されている（図１８参照）。また、上記奥側凹部１３の奥端面１３ｂには、上記係合用突条１４の下側にガイド用凸部１５が突設されており、このガイド用凸部１５の上面に、前側水平面１５ａと、この前側水平面１５ａの奥端から奥側に向かって上り傾斜状に傾斜する後側ガイド面１５ｂとが形成されている。
【００１６】
上記フックピース３は、図８〜図１２に示すように、後面開放状の細長い箱形に形成された操作部１６と、この操作部１６の中央部分の後面から後方に向かって延びる係合板部（解除部）１７とで構成されている。
【００１７】
上記操作部１６は、上下両側板１８，１９と、前側板２０と、左右両側板２１，２２とからなり、上下両側板１８，１９の中央部が切り欠き形成されている。また、上記左右両側板２１，２２の外側面に、上記前側凹部１２の両溝部１２ｃに係合する左右一対の係合凸部２１ａ，２２ａが形成されてる（図１３参照）。図９において、１８ａは上側板１８の中央部に形成した上側切り欠き部であり、１９ａは下側板１９の中央部に形成した下側切り欠き部である。
【００１８】
上記係合板部１７は、操作部１６の前側板２０の中央部分（上記奥側凹部１３のガイド用凸部１５の後側ガイド面１５ｂに対面する部分）の後面から後方に延びる弾性連結部２３と、この弾性連結部２３から後方に延びる押し上げ部２４とからなる。この押し上げ部２４は、閉蓋状態では、上記ガイド用凸部１５の後側ガイド面１５ｂに当接しており（図１８参照）、この閉蓋状態からフックピース３を後方に撓ませると、上記押し上げ部２４が後側ガイド面１５ｂに沿って上方に摺動するようになっている（図２０参照）。
【００１９】
そして、上記容器本体１の横幅（Ｌ１）がフックピース３の横幅（Ｌ２）の略８５％に設定されている（図１参照）。また、上記容器本体１の奥側凹部１３の横幅（Ｌ３）はフックピース３の横幅（Ｌ２）の略６５％に設定されている（図１７参照）。また、フックピース３の前側板２０の後方への撓み量は、前側板２０の横幅の１．５％に設定されている。この実施の形態では、上記容器本体１の横幅（Ｌ１）は略１１０ｍｍに、フックピース３の横幅（Ｌ２）は略９５ｍｍに、上記容器本体１の奥側凹部１３の横幅（Ｌ３）は略６０ｍｍにそれぞれ設定されている。
【００２０】
上記蓋体２には、図１５および図１６に示すように、その前端部から、閉蓋時に上記容器本体１の奥側凹部１３の係合用突条１４に着脱自在に係合する係合爪２ａが垂下している。また、上記蓋体２には、その後端部から連結部２ｂが垂下しており、この連結部２ｂにヒンジ軸挿通孔２ｃが貫通状に穿設されている。そして、このヒンジ軸挿通孔２ｃおよび上記容器本体１の両ヒンジ軸挿通孔１１ａにヒンジ軸６が挿通されており、これにより、上記容器本体１の後端部と蓋体２の後端部とがヒンジ連結されている。
【００２１】
上記の構成において、開蓋する場合には、図１７および図１８に示す閉蓋状態から、フックピース３の中央部を指先等で奥側に押圧することを行う。これにより、図１９および図２０に示すように、フックピース３の中央部が後方に撓み、フックピース３の係合板部１７の押し上げ部２４が容器本体１のガイド用凸部１５の後側ガイド面１５ｂを上方に向かって摺動し、上記押し上げ部２４の先端で蓋体２の係合爪２ａを押し上げ、上記容器本体１の係合用突条１４と蓋体２の係合爪２ａとの係合を外し、開蓋する（図１９および図２０参照）。このとき、フックピース３の横幅が幅広であるため、高齢の女性等でも、小さな力で確実に押圧，開蓋することができる。
【００２２】
このように、上記実施の形態では、フックピース３の横幅および奥側凹部１３の横幅が幅広であるため、高齢の女性等でも、小さな力で確実に開蓋することができる。しかも、上記奥側凹部１３の形成位置，横幅を変更するだけで、押圧しうるフックピース３の範囲を適宜変更することができる。
【００２３】
【発明の効果】
以上のように、本発明の化粧料容器によれば、容器本体の前端部に形成した幅広の切り欠き凹部に幅広の奥側切り欠き凹部を設け、上記切り欠き凹部に、可撓性を有する幅広の操作片を配設し、上記奥側切り欠き凹部に対応する上記操作片の部分を撓ませることにより、蓋体の係合部と上記奥側切り欠き凹部の被係合部との係合を解除できるようにしているため、操作片の幅広い範囲を押圧することで、高齢の女性等でも、小さな力で確実に開蓋することができる。しかも、上記したように、上記奥側切り欠き凹部に対応する上記操作片の部分を撓ませるようにしているため、押圧しうる操作片の範囲を適宜変更する場合には、この変更に合わせて、上記奥側切り欠き凹部の形成位置や横幅を変更するだけでよい。したがって、容器本体だけを変更すればよく、操作片を変更する必要がない。
【００２４】
本発明において、上記奥側切り欠き凹部の奥壁面の、上記被係合部の下側部分に、前方に向かって下る傾斜面を形成し、この傾斜面に対応する上記操作片の部分から弾性連結部を介して押し上げ部を後方に延設することにより、操作片の解除部を形成し、上記操作片の押し上げ部を奥側切り欠き凹部の傾斜面に摺動自在に配設し、上記操作片を後方に撓ませることにより、上記操作片の押し上げ部を奥側切り欠き凹部の傾斜面に沿わせて上方に摺動させ、上記蓋体の係合部を下から押し上げて上記係合を解除するように構成した場合には、上記操作片の押し上げ部で蓋体の係合部を下からはね上げることができ、小さな力で上記係合を解除することができる。
【００２５】
本発明において、上記操作片の横幅が容器本体の横幅の７５〜９５％の範囲に設定されている場合には、上記操作片の横幅を非常に幅広に形成することができる。
【００２６】
本発明において、上記奥側切り欠き凹部の横幅が操作片の横幅の４０〜９０％の範囲に設定され、好適には、５５〜６５％の範囲に設定されている場合には、操作片を確実に押圧することができるだけでなく、不用意に開蓋することがなくなる。すなわち、多数回の実験を行った結果から判明したことであるが、操作片の横幅が容器本体の横幅の４０％を下回ると、高齢の女性等では、１回の操作で操作片を押圧することができないケースが増え、９０％を上回ると、操作片に周囲の他物が当たりやすく、不用意に開蓋することが多くなる。
【図面の簡単な説明】
【図１】本発明の化粧料容器の一実施の形態を示す正面図である。
【図２】上記化粧料容器の側面図である。
【図３】容器本体の側面図である。
【図４】上記化粧料容器の平面図である。
【図５】上記容器本体の要部の平面図である。
【図６】上記化粧料容器の要部の正面図である。
【図７】上記容器本体の要部の断面図である。
【図８】フックピースの平面図である。
【図９】上記フックピースを後から見た図である。
【図１０】上記フックピースの正面図である。
【図１１】上記フックピースを下から見た図である。
【図１２】上記フックピースの要部の斜視図である。
【図１３】上記フックピースの側面図である。
【図１４】上記フックピースの断面図である。
【図１５】蓋体の側面図である。
【図１６】上記蓋体の正面図である。
【図１７】上記フックピースを前側凹部に装着した状態を示す平面図である。
【図１８】上記フックピースを前側凹部に装着した状態を示す断面図である。
【図１９】上記化粧料容器の作用を示す平面図である。
【図２０】上記化粧料容器の作用を示す断面図である。
【図２１】従来例を示す斜視図である。
【図２２】他の従来例を示す正面図である。
【図２３】上記他の従来例に用いるフックピースの平面図である。
【図２４】上記他の従来例の要部の断面図である。
【図２５】上記他の従来例の前側凹部にフックピースを装着した状態を示す平面図である。
【符号の説明】
１  容器本体
３  フックピース
１２  前側凹部
１２ａ  奥壁面
１２ｂ  当接面
１３  奥側凹部
１４  係合用突条
１７  係合板部
【図１】
2004261504.tif 000003
【図２】
2004261504.tif 000004
【図３】
2004261504.tif 000005
【図４】
2004261504.tif 000006
【図５】
2004261504.tif 000007
【図６】
2004261504.tif 000008
【図７】
2004261504.tif 000009
【図８】
2004261504.tif 000010
【図９】
2004261504.tif 000011
【図１０】
2004261504.tif 000012
【図１１】
2004261504.tif 000013
【図１２】
2004261504.tif 000014
【図１３】
2004261504.tif 000015
【図１４】
2004261504.tif 000016
【図１５】
2004261504.tif 000017
【図１６】
2004261504.tif 000018
【図１７】
2004261504.tif 000019
【図１８】
2004261504.tif 000020
【図１９】
2004261504.tif 000021
【図２０】
2004261504.tif 000022
【図２１】
2004261504.tif 000023
【図２２】
2004261504.tif 000024
【図２３】
2004261504.tif 000025
【図２４】
2004261504.tif 000026
【図２５】
2004261504.tif 000027